(57)【要約】    【課題】  視線および態勢が低い座った状態のユーザにとっても排紙トレイへの用紙排紙状態の視認や排紙トレイからの用紙の取り出しを容易にしたユーザフレンドリな装置を提供する。    【解決手段】  排紙口１４から排紙される用紙Ｐを載置収容する排紙トレイ１２が最上部に設けられた、台１上に設置されるプリンタ１０において、  排紙方向Ｂと直交する方向において排紙トレイ１２を挟んで両側に立設された側壁１６，１８の少なくとも一方の上部に切込み凹部２０，２２を形成したことを特徴とする。【選択図】  図１
2005062736.tif 000002
【特許請求の範囲】
【請求項１】
排紙口から排紙される用紙を載置収容する排紙トレイが装置最上部に設けられた、台上に設置される画像形成装置において、
排紙方向と直交する方向において前記排紙トレイを挟んで両側に立設された側壁の少なくとも一方の上部に切込み凹部を形成したことを特徴とする画像形成装置。
【請求項２】
前記排紙トレイの用紙載置面には排紙方向と交差する方向に延びる溝状凹所が形成されており、前記溝状凹所が前記切込み凹部と連通していることを特徴とする請求項１に記載の画像形成装置。
【請求項３】
前記溝状凹所は、前記排紙トレイに収容された最小サイズの用紙の端部がかかる位置まで少なくとも延びていることを特徴とする請求項２に記載の画像形成装置。
【請求項４】
前記切込み凹部が前記両側側壁にそれぞれ形成されており、前記溝状凹部が前記両側側壁の前記切込み凹部間にわたって形成されていることを特徴とする請求項３に記載の画像形成装置。
【請求項５】
前記側壁の排紙トレイ側の側面が傾斜面としてあることを特徴とする請求項１ないし４のいずれかに記載の画像形成装置。
【発明の詳細な説明】
【技術分野】
【０００１】
本発明は、排紙口から排紙される用紙を収容する排紙トレイが装置上部に設けられた、台上に設置される画像形成装置に関する。
【背景技術】
【０００２】
従来、机などの台の上に設置されて使用されるタイプのプリンタが知られている。この種のプリンタでは、最上部に排紙トレイがあって、その排紙トレイの両側に側壁がそれぞれ立設されているものが多い。
【発明の開示】
【発明が解決しようとする課題】
【０００３】
しかしながら、上記プリンタでは、立って作業するユーザであれば排紙トレイへの用紙排出を視認すること及び排紙トレイから用紙を手で取り出すことについては何らの苦労を伴わないが、例えば座った状態で作業をするユーザ（例えば車椅子に座った身体障害者を含む）にとっては視線および態勢が低いために、排紙トレイの両側にある側壁の存在によって用紙排出状態の視認や用紙の取り出しが非常にやりにくくなるという問題がある。
【課題を解決するための手段】
【０００４】
そこで、前記問題を解決するために本発明は、排紙口から排紙される用紙を載置収容する排紙トレイが装置最上部に設けられた、台上に置かれる画像形成装置において、
排紙方向と直交する方向において前記排紙トレイを挟んで両側に立設された側壁の少なくとも一方の上部に切込み凹部を形成したことを特徴とするものである。
この構成によれば、視線が低い座った状態のユーザにも、排紙トレイの側壁に設けた切込み凹部を介して排紙トレイへの用紙排出状態を容易に視認することができ、ユーザフレンドリな装置になる。
【０００５】
また、本発明の画像形成装置では、前記排紙トレイの用紙載置面には排紙方向と交差する方向に延びる溝状凹所が形成されており、前記溝状凹所が前記切込み凹部と連通していてもよい。
この構成によれば、態勢が低い座った状態のユーザにも、前記側壁の切込み凹部を介して前記溝状凹所に沿って手を伸ばすことにより、排紙トレイ上に排出された用紙の下に前記溝状凹所によって形成された隙間に指を差し込んで用紙を容易につかんで排紙トレイから取り出すことができ、ユーザフレンドリな装置になる。また、視覚障害者であっても、前記切込み凹部から排紙トレイに手を伸ばして前記溝状凹所をガイドとして手探りでたどっていけば排紙トレイ上に収容された用紙までたどり着いて取り出すことができ、この意味でもユーザフレンドリな装置になる。
【０００６】
また、本発明の画像形成装置では、前記溝状凹所が、前記排紙トレイに収容された最小サイズの用紙の端部がかかる位置まで少なくとも延びていることが好ましい。
この構成によれば、最小サイズの用紙であってもその端部の下に前記溝状凹所によって隙間が形成されるため、態勢が低い座った状態のユーザにも、前記側壁の切込み凹部を介して前記溝状凹所に沿って手を伸ばすことにより、排紙トレイ上に排出された最小サイズ用紙の下の隙間に指を差し込んで用紙を容易につかんで排紙トレイから取り出すことができる。
【０００７】
また、本発明の画像形成装置では、前記切込み凹部が前記両側側壁にそれぞれ形成されており、前記溝状凹部が前記両側側壁の前記切込み凹部間にわたって形成されていてもよい。
この構成によれば、ユーザが通常位置する装置の前面側およびその反対側の装置の背面側のいずれからでも、態勢が低い座った状態のユーザが前記側壁の切込み凹部を介して前記溝状凹所に沿って手を伸ばすことにより、排紙トレイ上に排出された用紙の下に前記溝状凹所によって形成された隙間に指を差し込んで用紙を容易につかんで排紙トレイから取り出すことができ、装置設置環境の幅を広げることができる。
【０００８】
さらに、本発明の画像形成装置では、前記側壁の排紙トレイ側の側面が傾斜面としてあることが好ましい。
この構成によれば、態勢が低い座った状態のユーザが前記切込み凹部から手を伸ばして排紙トレイ上の用紙をつかんで横方向に引き出す際に、側壁が傾斜面であることによって用紙が側壁を容易に乗り越えることができ、用紙の取り出しが容易に行える。
【発明の効果】
【０００９】
上述したように本発明の画像形成装置によれば、視線および態勢が低い座った状態のユーザにとっても排紙トレイへの用紙排紙状態の視認や排紙トレイからの用紙の取り出しが容易になり、ユーザフレンドリな装置になる。
【発明を実施するための最良の形態】
【００１０】
以下、本発明の実施の形態を添付図面を参照して説明する。
図１および図２は、本発明の一実施形態であるプリンタ１０を全体斜視図で示している。このプリンタ１０は、通常は机等の台１上に設置されて使用される。
【００１１】
プリンタ１０は、装置最上部の天面に凸状に湾曲した傾斜面からなる排紙トレイ１２を備えている。排紙トレイ１２には、プリンタ１０の内部で印刷されて排紙口１４から排紙される用紙Ｐが載置収容されるようになっている。
【００１２】
排紙口１４からは用紙Ｐが矢印Ｂで示す排紙方向に排出される。この排紙方向と直交する方向において排紙トレイ１２を挟んで両側には、側壁１６，１８がそれぞれ立設されている。
【００１３】
側壁１６，１８の各上部には、略半円状に凹んだ切込み凹部２０，２２がそれぞれ形成されている。排紙トレイ１２の用紙載置面には、排紙方向と直交または交差する方向に延びる溝状凹所２４が形成されている。この溝状凹所２４は、両側側壁１６，１８の切込み凹部間２０，２２にわたって形成されるとともに、両端部が各切込み凹部２０，２２に連通している。
【００１４】
排紙トレイ１２に形成された溝状凹所２４は、図３（ａ）に示すように、例えば葉書のような最小サイズの用紙Ｐ１が排紙トレイ１２に排出されて収容されたときに用紙Ｐ１の端部がかかる位置に形成されている。
【００１５】
なお、排紙トレイ１２の用紙載置面に形成された溝状凹所２４は、必ずしも両側切込み凹部２０，２２間にわたって形成されていなければならないことはなく、図３（ｂ）に示すようにその中央部で分断されていてもよい。この場合、分断された各溝状凹所２４ａ，２４ｂは、最小サイズ用紙Ｐ１の端部がかかる位置まで延びていればよい。
【００１６】
排紙トレイ１２の両側の側壁１６，１８の排紙トレイ１２側の側面は、図２のＡ−Ａ面断面に示すように、凸状に湾曲した傾斜面としてある。このようにすることで、後述するように排紙トレイ１２上の用紙Ｐを横方向に引き出そうとしたときに、用紙Ｐが側壁１６または１８を容易に乗り越えられるようになっている。
【００１７】
続いて、前記プリンタ１０の動作および作用効果について説明する。
プリンタ１０では、内部で印刷された用紙Ｐが排紙口１４から排紙トレイ１２上に排紙されて収容される。このとき、排紙トレイ１２の側壁に切込み凹部がない従来のプリンタでは、座った状態にあるユーザＸは視線位置が低いために側壁の存在によって排紙トレイ１２への用紙排紙状態を視認することが妨げられるが、前記プリンタ１０では、視線が低い座った状態のユーザＸ（例えば車椅子に座った身体障害者も含む）にも、排紙トレイ１２の側壁１６，１８に設けた切込み凹部２０，２２を介して排紙トレイ１２への用紙排出状態を容易に視認することができ、ユーザフレンドリな装置になる。
【００１８】
また、プリンタ１０では、排紙トレイ１２の用紙載置面に溝状凹所２４が形成されており、この溝状凹所２４が切込み凹部２０と連通しているため、態勢が低い座った状態のユーザＸにも、図５に示すように、側壁１６，１８の切込み凹部２０，２２を介して溝状凹所２４に沿って手を伸ばすことにより、排紙トレイ１２上に排出された用紙Ｐの下に溝状凹所２４によって形成された隙間に指を差し込んで用紙を容易につかんで排紙トレイ１２から取り出すことができ、ユーザフレンドリな装置になる。また、視覚障害者であっても、切込み凹部２０，２２から排紙トレイ１２に手を伸ばして溝状凹所２４をガイドとして手探りでたどっていけば排紙トレイ１２上に収容された用紙Ｐまでたどり着いて取り出すことができ、この意味でもユーザフレンドリな装置になる。
【００１９】
また、プリンタ１０では、溝状凹所２４が排紙トレイ１２に収容された最小サイズの用紙Ｐ１の端部がかかる位置まで少なくとも延びているため、最小サイズの用紙Ｐ１であってもその端部の下に溝状凹所２４（図３（ｂ）では符号２４ａ，２４ｂ）によって隙間が形成されるため、態勢が低い座った状態のユーザＸにも、側壁１６，１８の切込み凹部２０，２２を介して溝状凹所２４（２４ａ，２４ｂ）に沿って手を伸ばすことにより、排紙トレイ１２上に排出された最小サイズ用紙Ｐ１の下の隙間に指を差し込んで用紙Ｐ１を容易につかんで排紙トレイ１２から取り出すことができる。
【００２０】
また、プリンタ１０では、切込み凹部２０，２２が両側側壁１６，１８にそれぞれ形成されており、溝状凹部２４が両側側壁１６，１８の切込み凹部２０，２２間にわたって形成されているため、ユーザＸが通常位置するプリンタ１０の前面側およびその反対側のプリンタ１０の背面側のいずれからでも、態勢が低い座った状態のユーザＸが側壁１６，１８の切込み凹部２０，２２を介して溝状凹所２４に沿って手を伸ばすことにより、排紙トレイ１２上に排出された用紙Ｐの下に溝状凹所２４によって形成された隙間に指を差し込んで用紙Ｐを容易につかんで排紙トレイ１２から取り出すことができ、装置設置環境の幅を広げることができる。
【００２１】
さらに、プリンタ１０では、側壁１６，１８の排紙トレイ１２側の側面が傾斜面としてあるので、態勢が低い座った状態のユーザＸが切込み凹部２０，２４から手を伸ばして排紙トレイ１２上の用紙Ｐをつかんで横方向に引き出す際に、側壁１６，１８が傾斜面であることによって用紙Ｐが側壁１６，１８を容易に乗り越えることができ、用紙Ｐの取り出しが容易に行える。
【００２２】
なお、本実施形態のプリンタ１０では、両側の側壁１６，１８に切込み凹部２０，２２を設けたが、プリンタ１０の前面側にだけ切込み凹部２０を設けてもよい。
【００２３】
また、本実施形態ではプリンタについて説明したが、本発明はプリンタ以外の複写機やファックス等の画像形成装置にも適用可能である。
【図面の簡単な説明】
【００２４】
【図１】台上に設置されたプリンタの全体斜視図。
【図２】プリンタの全体斜視図とそのＡ−Ａ面断面図。
【図３】排紙トレイに最小サイズの用紙が収容されている状態を示すプリンタの全体斜視図。
【図４】座った状態のユーザが排紙トレイへの用紙排紙状態を視認する状態を示す図。
【図５】ユーザが切込み凹部を介して排紙トレイの溝状凹所に沿って手を伸ばしている状態を示す図。
【符号の説明】
【００２５】
１０…プリンタ、１２…排紙トレイ、１４…排紙口、１６，１８…側壁、２０，２２…切込み凹部、２４，２４ａ，２４ｂ…溝状凹所、Ｐ…用紙、Ｐ１…最小サイズ用紙、Ｘ…座った状態のユーザ。
【図１】
2005062736.tif 000003
【図２】
2005062736.tif 000004
【図３】
2005062736.tif 000005
【図４】
2005062736.tif 000006
【図５】
2005062736.tif 000007